(57)【要約】【課題】障子を任意の開放位置で安定よく停止保持することができるようにした耐久性および操作性に優れた窓開閉操作用のオペレータハンドルを提供することである。【解決手段】窓枠１の下枠１ａ上面に取付けられる角筒状のケース１０の上側壁を貫通して斜め上方に延びる回転可能なハンドル軸１３の回転を互いに噛合する一対のベベルギヤ１６、１７を介してケース１０内に組込まれたねじ軸１４に伝達する。ねじ軸１４にスライダ１８をねじ係合し、そのねじ軸１４の回転によりスライダ１８をねじ軸１４の軸方向に移動させる。そのスライダ１８と支点軸２０を中心に回転可能に支持された回転板２１の外周部とをリンク２２で連結し、上記スライダ１８の移動により回転板２１を回転させ、その回転板２１に一端部が連結された障子開閉用のＬ形のアーム２５を回転させるようにする。【選択図】図５
2010189963.tif 000002
【特許請求の範囲】
【請求項１】
窓枠の下枠上面に取付けられて、下枠の左右方向に長く延びる角筒状のケースと、そのケースの上側壁を貫通して斜め上方に延びる回転可能なハンドル軸と、前記ケース内に収容され、前記ハンドル軸に対して交差方向に延びる回転可能なねじ軸と、前記ハンドル軸の回転をねじ軸に伝達する一対の互いに噛合するベベルギヤと、前記ねじ軸にねじ係合するねじ孔を有し、ねじ軸の回転によりねじ軸の軸方向に移動するスライダと、前記ねじ軸の軸端周りに配置されて縦軸を中心に回転可能とされ、外周の一部がケースの屋外側の側板に形成された開口に臨む回転板と、その回転板の外周部に一端部が連結され、他端部が前記スライダに連結されたリンクと、前記回転板の外周一部に一端部が連結一体化されてケースの外部に配置され、前記窓枠の開口を開閉する障子の閉鎖状態で、その障子の内面と略平行する障子開閉用のＬ形のアームとからなる窓開閉操作用のオペレータハンドル。
【発明の詳細な説明】
【技術分野】
【０００１】
この発明は、すべり出し窓や回転窓等の窓の開閉操作用のオペレータハンドルに関する。
【背景技術】
【０００２】
一般に、縦すべり出し窓においては、図７乃至図９に示すように、窓枠１の開口を開閉する障子２の上框と下框のそれぞれをすべり出し用ステーＡで支持して、障子２の一方の縦框を左右方向にほぼ平行移動させると共に、その縦框を中心にして障子２を開閉させるようにしている。
【０００３】
ここで、すべり出し用ステーＡは、窓枠１の上枠および下枠に取付けられる枠側プレート３０と、障子２の上框および下框に取付けられる障子側プレート３１を有し、その枠側プレート３０の一端部と障子側プレート３１の長さ方向中央部にアーム３２の両端部を連結し、上記障子側プレート３１の一端部にスライダ３３の一端部を連結し、そのスライダ３３の他端部に設けられた平面菱形の突出部３４を枠側プレート３０に設けられた直線状のガイドレール３５に沿って移動自在に支持し、上記障子側プレート３１を枠側プレート３０の長さ方向と略平行する状態と交差する状態との間で開閉自在としている。
【０００４】
上記縦すべり出し窓においては、普通、窓枠１の下枠上面に取付けるオペレータハンドルＸの操作によって障子２を開閉させるようにしている。
【０００５】
オペレータハンドルＸとして、特許文献１の背景技術に記載されたものが従来から知られている。このオペレータハンドルＸは、図７および図９に示すように、窓枠１の下枠上面に取付けられるケース４０によってハンドル４１に設けられたハンドル軸４２を回転自在に支持し、そのハンドル軸４２にねじ歯車４３を設け、そのねじ歯車４３をケース４０内に回転可能に設けられた回転板４４の外周のはす歯４５に噛合し、上記回転板４４の外周に設けられたアーム４６の先端部と障子２に取付けられたブラケット４７とをリンク４８で連結して、上記ハンドル４１の回転操作によって障子２を開閉させるようにしている。
【先行技術文献】
【特許文献】
【０００６】
【特許文献１】特開２００７−１７０１３４号公報
【発明の概要】
【発明が解決しようとする課題】
【０００７】
ところで、従来のオペレータハンドルＸにおいては、ねじ歯車４３とはす歯４５の噛合によって障子２を任意の開放位置で停止保持することができるという特徴を有するものの、薄肉厚の回転板４４の外周にはす歯４５を形成したものであるため、上記はす歯４５に摩耗や変形が生じ易く、耐久性に問題がある。
【０００８】
また、ハンドル軸４２の組付けに、そのハンドル軸４２を含む仮想垂直平面上で取付け角度誤差が生じると、ねじ歯車４３と回転板４４のはす歯４５を良好に噛合させることができず、ハンドル４１をスムーズに回転させることができないという問題がある。
【０００９】
さらに、回転板４４の外周にははす歯４５が形成され、且つ、アーム４６が一体に形成されているため、その回転板４４を収容するケース４０の見込み方向の幅寸法（屋内外方向の幅寸法）は極めて大きくなり、窓枠１の下枠上面に上記ケース４０を取付けた際に、ケース４０の手前側部分が屋内方向に大きく飛び出し、体裁が良くないという問題もある。
【００１０】
この発明の課題は、障子を任意の開放位置で安定よく停止保持することができるようにした耐久性および操作性に優れた窓開閉操作用のオペレータハンドルを提供することである。
【課題を解決するための手段】
【００１１】
上記の課題を解決するため、この発明においては、窓枠の下枠上面に取付けられて、下枠の左右方向に長く延びる角筒状のケースと、そのケースの上側壁を貫通して斜め上方に延びる回転可能なハンドル軸と、前記ケース内に収容され、前記ハンドル軸に対して交差方向に延びる回転可能なねじ軸と、前記ハンドル軸の回転をねじ軸に伝達する一対の互いに噛合するベベルギヤと、前記ねじ軸にねじ係合するねじ孔を有し、ねじ軸の回転によりねじ軸の軸方向に移動するスライダと、前記ねじ軸の軸端周りに配置されて縦軸を中心に回転可能とされ、外周の一部がケースの屋外側の側板に形成された開口に臨む回転板と、その回転板の外周部に一端部が連結され、他端部が前記スライダに連結されたリンクと、前記回転板の外周一部に一端部が連結一体化されてケースの外部に配置され、前記窓枠の開口を開閉する障子の閉鎖状態で、その障子の内面と略平行する障子開閉用のＬ形のアームとからなる構成を採用したのである。
【００１２】
上記の構成からなるオペレータハンドルにおいては、縦すべり出し窓の障子の開閉用として使用する場合は、その縦すべり出し窓の下枠上面にケースを取付け、Ｌ形アームの先端部と障子に取付けられたブラケットとをリンクで連結する。
【００１３】
上記ようなオペレータハンドルの組付け状態において、ハンドル軸に設けられたハンドルの操作により、ハンドル軸を回転すると、その回転は互いに噛合するベベルギヤを介してねじ軸に伝達され、そのねじ軸にねじ係合するスライダがねじ軸の軸方向に移動する。
【００１４】
このとき、スライダと回転板はリンクで連結されているため、回転板が回転すると共に、その回転板と共にアームが屋外側に向けて回転し、リンクおよびブラケットを介して障子に開放する方向への回転モーメントが負荷され、障子が開放する。
【００１５】
障子の開放状態において、その障子を回転させる方向の外力が負荷されると、その外力はねじ軸とスライダのねじ係合で支持されることになり、ねじ軸は回転しないため、障子は開放状態に保持される。
【発明の効果】
【００１６】
上記のように、この発明においては、ハンドル軸の回転を互いに噛合する一対のベベルギヤ介してねじ軸に伝達し、そのねじ軸の回転により軸方向に移動するスライダの直線運動をリンクを介して回転板の回転運動に変換して、障子開閉用のアームを回転させるようにしたので、各種部品が変形し、あるいは、破損することは殆どなく、耐久性に優れたオペレータハンドルを得ることができる。
【００１７】
また、ハンドル軸の組付けに際して、そのハンドル軸の軸心を含む仮想垂直平面内で取付け角度誤差が生じたとしても、一対のベベルギヤは良好に噛合することになる。このため、ハンドルを常にスムーズに回転させることができ、操作性に優れたオペレータハンドルを得ることができる。
【００１８】
さらに、開放状態の障子に外力が負荷されると、その外力はねじ軸とスライダのねじ係合で支持されるため、ねじ軸が回転することはなく、従来のオペレータハンドルと同様に、障子を任意の開放位置で保持することができる。
【００１９】
また、回転板は、従来のオペレータハンドルの回転板に比較して、はす歯がない分外径が小さくなり、その回転板を収容するケースの見込み方向の幅寸法のコンパクト化を図ることができる。このため、窓枠の下枠上面に取付けた際に、ケースの手前部分が屋内側に飛び出すというようなことはなく、体裁の良好な取付け状態を得ることができる。
【図面の簡単な説明】
【００２０】
【図１】この発明に係るオペレータハンドルの使用の一例を示す一部切欠平面図
【図２】図１のII−II線に沿った断面図
【図３】図２の一部切欠平面図
【図４】図１の一部切欠側面図
【図５】図１に示すオペレータハンドルの一部を示す斜視図
【図６】障子の開放状態を示す一部切欠平面図
【図７】従来のオペレータハンドルの使用例を示す平面図
【図８】図７に示す障子の開放状態を示す平面図
【図９】図７の一部切欠側面図
【発明を実施するための形態】
【００２１】
以下、この発明の実施の形態を図１乃至図６に基づいて説明する。図１に示すように、窓枠１の開口を開閉する障子２は、図７および図８に示すすべり出し用ステーＡによって開閉自在に支持されている。
【００２２】
窓枠１における下枠１ａの上面には、この発明に係る障子開閉操作用のオペレータハンドルＸが取付けられている。
【００２３】
図２乃至図５は、オペレータハンドルＸの詳細を示す。このオペレータハンドルＸは、下枠１ａに取付けられた細長い角筒状のケース１０を有し、そのケース１０は、下枠１ａの左右方向に長く延びる取付けとされている。
【００２４】
図４および図５に示すように、ケース１０の上側壁における一端部には屋内側に向けて斜め上方に向く傾斜状の軸受筒１１が形成され、その軸受筒１１内にハンドル１２に設けられたハンドル軸１３が挿通されて回転自在に支持されている。
【００２５】
図２および図３に示すように、ケース１０の内部には、上記ハンドル軸１３に対して交差方向に長く延びるねじ軸１４が組込まれ、そのねじ軸１４はケース１０の内部に設けられた対向一対の仕切壁１５によって回転自在に支持されている。
【００２６】
ハンドル軸１３のケース１０内に位置する下端部にはベベルギヤ１６が設けられ、そのベベルギヤ１６はねじ軸１４の一端部に設けられたベベルギヤ１７と噛合している。このため、ハンドル１２の操作によりハンドル軸１３を回転すると、ねじ軸１４が回転するようになっている。
【００２７】
ねじ軸１４は、ケース１０内においてケース１０の長さ方向（左右方向）に移動可能に組込まれたスライダ１８のねじ孔１９とねじ係合し、上記ねじ軸１４が回転すると、スライダ１８がねじ軸１４の軸方向に移動するようになっている。
【００２８】
ねじ軸１４の他端側には、ケース１０の底板上に支点軸２０が突設し、その支点軸２０を中心にして円形の回転板２１が回転自在に支持されている。回転板２１の上面外周部には、リンク２２の一端部が回転自在に連結され、そのリンク２２の他端部はスライダ１８に回転自在に連結されている。
【００２９】
図３および図５に示すように、回転板２１の外周一部には、上方に向く折曲げ片２３が設けられ、その折曲げ片２３はケース１０の屋外側の側板１０ａに形成された開口２４に臨んでいる。
【００３０】
折曲げ片２３には、Ｌ形のアーム２５の後端部に設けられた連結片２６が連結されている。アーム２５はケース１０の外部に位置し、その先端部は、図１に示すように、リンク２９を介して障子２に取付けられたブラケット４７に連結され、障子２の閉鎖状態で、アーム２５は障子２の内面と略平行の配置とされる。
【００３１】
図３に示すように、ケース１０の屋内側の側板１０ｂには、回転板２１との干渉を避ける切欠部２７と、その切欠部２７の上側にリンク２２との干渉を避ける左右方向に長い長孔２８が形成されている。なお、リンク２２と側板１０ｂとの間に間隔がある場合は、上記切欠部２７や長孔２８を省略してもよい。実施の形態で示すように、切欠部２７や長孔２８を形成すると、ケース１０の対向一対の側板１０ａ、１０ｂ間の幅寸法を小さくすることができる。
【００３２】
実施の形態で示すオペレータハンドルＸは上記の構造からなり、ハンドル１２の操作によりハンドル軸１３を図１の矢印で示す方向に回転すると、その回転は互いに噛合する一対のベベルギヤ１６、１７を介してねじ軸１４に伝達され、ねじ軸１４が回転すると共に、そのねじ軸１４にねじ係合するスライダ１８が図２の左方向に移動する。
【００３３】
このとき、スライダ１８と回転板２１はリンク２２で連結されているため、回転板２１が図１の矢印で示す方向に回転すると共に、その回転板２１と共にアーム２５が屋外側に向けて回転し、リンク２９およびブラケット４７を介して障子２に開放する方向への回転モーメントが負荷され、障子２が開放する。
【００３４】
図６は、障子２を開放させた状態を示し、その障子２の開放状態において、その障子２が風を受け、上記障子２に回転させる方向の外力が負荷されると、その外力はねじ軸１４とスライダ１８のねじ係合部で支持されることになり、ねじ軸１４は回転せず、障子２は開放状態に保持される。
【００３５】
障子２を閉鎖状態にする場合は、ハンドル１２の操作によりハンドル軸１３を図６の矢印で示す方向に回転させるようにする。そのハンドル軸１３の回転により、ねじ軸１４が回転し、スライダ１８が図６の右方向に移動する。また、スライダ１８の移動により、リンク２２が回転板２１の外周部を押圧するため、回転板２１が図６の矢印で示す方向に回転し、その回転板２１と共に回転するアーム２５がブラケット４７を押圧する作用により、障子２は閉鎖される。
【００３６】
障子２の開閉操作用のオペレータハンドルＸは、上記のように、ハンドル軸１３の回転を互いに噛合する一対のベベルギヤ１６、１７介してねじ軸１４に伝達し、そのねじ軸１４の回転により軸方向に移動するスライダ１８の直線運動をリンク２２を介して回転板２１の回転運動に変換して、障子開閉用のアーム２５を回転させるようにしているので、各種部品が変形し、あるいは、破損することは殆どない。
【００３７】
また、ハンドル軸１３の組付けに際して、そのハンドル軸１３の軸心を含む仮想垂直平面内で取付け角度誤差が生じたとしても、一対のベベルギヤ１６、１７は良好に噛合することになり、ハンドル１２を常にスムーズに回転させることができる。
【００３８】
実施の形態では、オペレータハンドルＸにより縦すべり出し窓の障子２を開閉させるようにしたが、オペレータハンドルＸの使用は縦すべり出し窓に限定されるものではない。例えば、横すべり出し窓や、回転窓、あるいは、平行出窓の障子の開閉用として使用してもよい。
【符号の説明】
【００３９】
１    窓枠
１ａ  下枠
１０  ケース
１３  ハンドル軸
１４  ねじ軸
１６  ベベルギヤ
１７  ベベルギヤ
１８  スライダ
１９  ねじ孔
２１  回転板
２２  リンク
２４  開口
２５  アーム
【図１】
2010189963.tif 000003
【図２】
2010189963.tif 000004
【図３】
2010189963.tif 000005
【図４】
2010189963.tif 000006
【図５】
2010189963.tif 000007
【図６】
2010189963.tif 000008
【図７】
2010189963.tif 000009
【図８】
2010189963.tif 000010
【図９】
2010189963.tif 000011